(57)【要約】【課題】上糸が被遊嵌部と遊嵌部との間を通り抜ける際に該上糸に加わる抵抗を抑える。【解決手段】ミシン釜９は、ボビンを軸支する前後方向に延びる支軸１１を備えた内釜１０と、該内釜１０に外挿されて前後方向を軸に所定の回転方向ｒに回転駆動される外釜２０とを含み構成されている。そして、内釜１０の被遊嵌部１２に釜止め部材３０の遊嵌部３２が遊嵌されることにより、該内釜１０が外釜２０に連れて回転するのが防止され、それら被遊嵌部１２と遊嵌部３２との間を上糸Ｔａが通り抜ける。このミシン釜９は、支軸１１の中心線Ｘを通る上下方向及び前後方向に延びる垂直面Ｖを境にした内釜１０の左右両側部位１０ａ，１０ｂのうち、自重が外釜２０の回転方向ｒとは反対の回転方向に加わる左右一方側部位１０ａの質量が、自重が外釜２０の回転方向ｒに加わる左右他方側部位１０ｂの質量の１．５〜２倍になるように構成されている。【選択図】図１
2009247612.tif 000002
【特許請求の範囲】
【請求項１】
ボビンを軸支する前後方向に延びる支軸（１１）を備えた内釜（１０）と、該内釜に外挿されて前後方向を軸に所定の回転方向（ｒ）に回転駆動される外釜（２０）とを含み構成され、前記内釜（１０）の被遊嵌部（１２）に釜止め部材（３０）の遊嵌部（３２）が遊嵌されることにより、該内釜が前記外釜（２０）に連れて回転するのが防止され、前記被遊嵌部（１２）と前記遊嵌部（３２）との間を上糸（Ｔａ）が通り抜けるミシン釜において、
前記支軸（１１）の中心線（Ｘ）を通る上下方向及び前後方向に延びる垂直面（Ｖ）を境にした前記内釜（１０）の左右両側部位（１０ａ，１０ｂ）のうち、自重が前記外釜（２０）の回転方向（ｒ）とは反対の回転方向に加わる左右一方側部位（１０ａ）の質量が、自重が前記外釜（２０）の回転方向（ｒ）に加わる左右他方側部位（１０ｂ）の質量の１．５〜２倍になるように構成されたことを特徴とするミシン釜。
【請求項２】
前記中心線（Ｘ）は、前記外釜（２０）の回転中心（Ｘｏ）に揃えられた請求項１記載のミシン釜。
【請求項３】
前記中心線（Ｘ）は、前記外釜（２０）の回転中心（Ｘｏ）から偏心した請求項１記載のミシン釜。
【発明の詳細な説明】
【技術分野】
【０００１】
本発明は、上糸のループを広げて該ループの内側に下糸を巻いたボビンを潜らすためのミシン釜に関する。
【背景技術】
【０００２】
ミシン釜としては、図６に示す従来例１（特許文献１）のミシン釜８９のように、ボビンを軸支する前後方向に延びる支軸９１を備えた内釜９０と、該内釜９０に外挿されて前後方向を軸に所定の回転方向ｒに回転駆動される外釜９５とを含み構成されたものが一般的である。そのミシン釜８９は、内釜９０の被遊嵌部９２に釜止め部材３０の遊嵌部３２が遊嵌されることにより、該内釜９０が外釜９５との摩擦Ｆで該外釜９５に連れて回転するのが防止され、それら被遊嵌部９２と遊嵌部３２との間を上糸Ｔａが通り抜ける。
【特許文献１】特開２００５−１８５４９４号公報
【特許文献２】特開平１１−２２６２８４号公報
【発明の開示】
【発明が解決しようとする課題】
【０００３】
ところが、上記従来例１では、内釜９０が外釜９５に連れて回転しようとすることによって、被遊嵌部９２が遊嵌部３２に押し付けられ、該遊嵌部３２から反力Ｒで押し返される。そのため、それら被遊嵌部９２と遊嵌部３２との間を上糸Ｔａのループが通り抜ける際には、該上糸Ｔａに対して抵抗が発生し、その抵抗によって、該上糸Ｔａの調子が不安定になったり、糸切れが発生したりすることがある。
【０００４】
そのため、中には、図７に示す従来例２（特許文献２）のミシン釜９９のように、上糸Ｔａのループが被遊嵌部９２と遊嵌部３２との間を通り抜ける際に該上糸Ｔａに対して過大な抵抗が発生しないように、内釜９０（支軸９１）の中心線Ｘを、外釜９５の回転中心Ｘｏから偏心させたものもある。該従来例２によれば、図７（ａ）〜（ｄ）に示すように、外釜９５が回転するのに従い内釜９０が上下左右に振られる。そして、上糸Ｔａのループが被遊嵌部９２と遊嵌部３２との間を通り抜ける際には、図７（ｃ）に示すように、内釜９０が左右一方に振られることによって被遊嵌部９２と遊嵌部３２との間にクリアランスｃができ、そのクリアランスｃを上糸Ｔａのループが通り抜ける。
【０００５】
ところが、該従来例２においては、上記偏心量を大きくし過ぎると、外釜９５を回転させた際の該ミシン釜９９の安定性が悪くなり、騒音、摩耗等の原因となる一方、該偏心量を小さく抑え過ぎると、上記作用効果を十分に得ることができないといった問題がある。
【０００６】
そこで、外釜に対する内釜の偏心量を大きくする以外の手段で、上糸が被遊嵌部と遊嵌部との間を通り抜ける際に該上糸に加わる抵抗を抑えることを目的とする。
【課題を解決するための手段】
【０００７】
上記目的を達成するため、本発明のミシン釜は、ボビンを軸支する前後方向に延びる支軸を備えた内釜と、該内釜に外挿されて前後方向を軸に所定の回転方向に回転駆動される外釜とを含み構成され、前記内釜の被遊嵌部に釜止め部材の遊嵌部が遊嵌されることにより、該内釜が前記外釜に連れて回転するのが防止され、前記被遊嵌部と前記遊嵌部との間を上糸が通り抜けるミシン釜において、前記支軸の中心線を通る上下方向及び前後方向に延びる垂直面を境にした前記内釜の左右両側部位のうち、自重が前記外釜の回転方向とは反対の回転方向に加わる左右一方側部位の質量が、自重が前記外釜の回転方向に加わる左右他方側部位の質量の１．５〜２倍になるように構成されたことを特徴とする。
【０００８】
ただし、ここでの上下方向、前後方向及び左右方向は、該ミシン釜がミシンに設置された状態での方向をいう。また、それらの中の前後方向及び左右方向は、水平面内で直交する任意の２つの方向のうちの一方及び他方をいい、それ以上に特定された方向をいうものではない。
【０００９】
前記内釜は、上記数値範囲以上は特に限定されないが、前記左右一方側部位の質量が前記左右他方側部位の質量の１．６〜１．９５倍であることがより好ましく、１．７〜１．９倍であることが最も好ましい。
【００１０】
前記支軸の中心線は、特に限定されないが、次の（１）（２）の場合が例として挙げられる。
（１）前記中心線は、前記外釜の回転中心に揃えられている場合。
（２）前記中心線は、前記外釜の回転中心から偏心している場合。
【発明の効果】
【００１１】
本発明によれば、内釜の左右両側部位のうち、自重が外釜の回転方向とは反対の回転方向に加わる左右一方側部位の質量が、自重が外釜の回転方向に加わる左右他方側部位の質量の１．５以上になるように構成されているため、該内釜の自重により、該内釜が外釜に連れて回転しようとするのが抑えられる。そのため、被遊嵌部と遊嵌部との間に加わる力が抑えられて、その間を通り抜ける上糸に加わる抵抗が抑えられる。
【００１２】
また、左右一方側部位の質量が左右他方側部位の質量の２倍以下になるように構成されているため、該内釜の自重により、被遊嵌部が遊嵌部に、外釜の回転方向とは反対の回転方向に強く押し付けられてしまう心配もない。
【発明を実施するための最良の形態】
【００１３】
本発明のミシン釜９は、ボビンを軸支する前後方向に延びる支軸１１を備えた内釜１０と、該内釜１０に外挿されて前後方向を軸に所定の回転方向ｒに回転駆動される外釜２０とを含み構成されている。そして、内釜１０の被遊嵌部１２に釜止め部材３０の遊嵌部３２が遊嵌されることにより、該内釜１０が外釜２０に連れて回転するのが防止され、それら被遊嵌部１２と遊嵌部３２との間を上糸Ｔａが通り抜ける。
【００１４】
このミシン釜９は、支軸１１の中心線Ｘを通る上下方向及び前後方向に延びる垂直面Ｖを境にした内釜１０の左右両側部位１０ａ，１０ｂのうち、自重が外釜２０の回転方向ｒとは反対の回転方向に加わる左右一方側部位１０ａの質量が、自重が外釜２０の回転方向ｒに加わる左右他方側部位１０ｂの質量の１．５〜２倍になるように構成されている。
【実施例１】
【００１５】
図１〜図４に示す本実施例１のミシン釜９は、内釜１０と、該内釜１０に回転可能に外挿された外釜２０とを含み構成されている。
【００１６】
内釜１０は、その内側に、下糸Ｔｂが巻かれたボビン及び該ボビンを収納したボビンケース３５を収納する部材であり、中央部にそれらボビン及びボビンケース３５を軸支する前後方向に延びる支軸１１を備えている。また、この内釜１０の上部には、該ミシン釜９の上部前方に設置される釜止め部材３０の遊嵌部３２に遊嵌されることにより、該内釜１０が外釜２０に連れて回転するのを防止する被遊嵌部１２が設けられている。
【００１７】
この内釜１０は、支軸１１の中心線Ｘを通る上下方向及び前後方向に延びる垂直面Ｖを境にした該内釜１０の左右両側部位１０ａ，１０ｂのうち、自重が外釜２０の回転方向ｒとは反対の回転方向に加わる左右一方側部位１０ａの方が、自重が外釜２０の回転方向ｒに加わる左右他方側部位１０ｂよりも重くなっている。詳しくは、左右一方側部位１０ａよりも左右他方側部位１０ｂに軽量化のための切欠１３が多く設けられたこと等によって、相対的に左右一方側部位１０ａの方が左右他方側部位１０ｂよりも重くなっており、該左右一方側部位１０ａの質量は、該左右他方側部位１０ｂの質量の１．７〜１．９倍となっている。
【００１８】
外釜２０は、前後方向に延びる釜駆動軸８によって前後方向を軸に所定の回転方向ｒに回転駆動される部材であって、詳しくは、該釜駆動軸８の中心線（すなわち、該外釜２０の回転中心Ｘｏ）に支軸１１の中心線Ｘを揃えた状態で該釜駆動軸８に連結される。この外釜２０は、外周部に、上糸Ｔａのループを捕捉する上糸捕捉部２１を備えている。
【００１９】
以上に示したミシン釜９の外釜２０を回転駆動した際の様子を、以下に説明する。
（１）まず、図４（ａ）に示すように、外釜２０の上糸捕捉部２１が上糸Ｔａのループを上限位置で捕捉し、該捕捉したまま回転していくことによって、該上糸Ｔａのループを下方に広げる。
（２）次に、図４（ｂ）に示すように、該捕捉したまま更に回転していき、下限位置を通過することによって、上糸Ｔａのループの内側に内釜１０を潜らせる。
（３）次に、図４（ｃ）に示すように、上糸Ｔａがミシンによって引っ張り上げられていくことによって、該上糸Ｔａのループが縮小する。
（４）そして、図４（ｄ）に示すように、該上糸Ｔａのループが更に縮小していくことによって、被遊嵌部１２と遊嵌部３２との間を該上糸Ｔａのループの下端部が通り抜ける。
【００２０】
本実施例１によれば、内釜１０の左右両側部位１０ａ，１０ｂのうち、自重が外釜２０の回転方向ｒとは反対の回転方向に加わる左右一方側部位１０ａの質量が、自重が外釜２０の回転方向に加わる左右他方側部位１０ｂの質量の１．７倍以上になっているため、内釜１０が外釜２０との摩擦Ｆで該外釜２０に連れて回転しようとした場合には、該内釜１０の自重による該回転方向とは反対方向への回転力Ｇにより、被遊嵌部１２と遊嵌部３２との間に加わる力（すなわち、遊嵌部３２が被遊嵌部１２を押し返す反力Ｒ）が抑えられる。そのため、それら被遊嵌部１２と遊嵌部３２との間を上糸Ｔａが通り抜ける際に該上糸Ｔａに加わる抵抗が抑えられる。そのため、該上糸Ｔａに過剰な張力が加わることはなく、よって、該上糸Ｔａの調子が不安定になったり、糸切れが発生したりし難い。
【００２１】
また、該内釜１０は、左右一方側部位１０ａの質量が、左右他方側部位１０ｂの質量の１．９倍以下になっているため、該内釜１０の自重による回転力Ｇにより、被遊嵌部１２が遊嵌部３２に、外釜２０の回転方向とは反対の回転方向に強く押し付けられてしまう心配もない。
【実施例２】
【００２２】
図５に示す本実施例２のミシン釜４９は、実施例１のミシン釜９と略同様であるが、外釜２０が、釜駆動軸８の中心線（すなわち、外釜２０の回転中心Ｘｏ）から支軸１１の中心線Ｘを偏心させた状態で、該釜駆動軸８に連結される点で相違している。
【００２３】
そのミシン釜４９の外釜２０を回転駆動した際の様子を、以下に説明する。
（１）まず、図５（ａ）に示すように、外釜２０の上糸捕捉部２１が上糸Ｔａのループを上限位置で捕捉し、該捕捉したまま回転していくことによって、該上糸Ｔａのループを下方に広げる。
（２）次に、図５（ｂ）に示すように、該捕捉したまま更に回転していき、下限位置を通過することによって、上糸Ｔａのループの内側に内釜１０を潜らせる。
（３）次に、図５（ｃ）に示すように、上糸Ｔａがミシンによって引っ張り上げられることによって、該上糸Ｔａのループが縮小する。このとき、内釜が左右一方に振られることによって、被遊嵌部１２と遊嵌部３２との間にクリアランスｃが形成される。
（４）そして、図５（ｄ）に示すように、該上糸Ｔａのループが更に縮小していくことによって、該クリアランスｃを該上糸Ｔａのループの下端部が通り抜ける。
【００２４】
本実施例２によれば、内釜１０の左右一方側部位１０ａの質量が左右他方側部位１０ｂの質量の１．７倍以上になっているため、従来例２よりも少ない偏心量で、被遊嵌部１２と遊嵌部３２との間にクリアランスｃを形成することができる。そのため、偏心量を小さくして、騒音、摩耗の問題を軽減することができる。
【００２５】
なお、本発明は上記実施例１，２に限定されるものではなく、発明の趣旨から逸脱しない範囲で適宜変更して具体化することもできる。
【図面の簡単な説明】
【００２６】
【図１】本発明の実施例１のミシン釜を示す斜視図である。
【図２】（ａ）は、同実施例１のミシン釜を示す正面図、（ｂ）はそのミシン釜にボビンケースを設置した際の様子を示す正面図である。
【図３】同実施例１のミシン釜及びその周辺を示す平面図である。
【図４】同実施例１のミシン釜を回転駆動した際の様子を（ａ）〜（ｄ）に順に示す正面図である。
【図５】本発明の実施例２のミシン釜を回転駆動した際の様子を（ａ）〜（ｄ）に順に示す正面図である。
【図６】従来例１のミシン釜を回転駆動した際の様子を（ａ）〜（ｄ）に順に示す正面図である。
【図７】従来例２のミシン釜を回転駆動した際の様子を（ａ）〜（ｄ）に順に示す正面図である。
【符号の説明】
【００２７】
９    ミシン釜
１０    内釜
１０ａ  内釜の左右一方側部位
１０ｂ  内釜の左右他方側部位
１１    支軸
１２    被遊嵌部
２０    外釜
３０    釜止め部材
３２    遊嵌部
４９    ミシン釜
Ｔａ  上糸
ｒ    所定の回転方向
Ｘｏ  外釜の回転中心
Ｘ    支軸の中心線
Ｖ    支軸の中心線を通る垂直面
【図１】
2009247612.tif 000003
【図２】
2009247612.tif 000004
【図３】
2009247612.tif 000005
【図４】
2009247612.tif 000006
【図５】
2009247612.tif 000007
【図６】
2009247612.tif 000008
【図７】
2009247612.tif 000009